(57)【要約】  本発明は、活性層上に潮解性材料含有領域を有するカードを製造し、使用することにより、環境中の湿度を検出する方法、ならびに湿度インジケーターカードに向けられている。そのようなカードと利用される調製物、ならびにカード上に溶液の状態で潮解性材料を含む組成物を施与するアプローチに向けられており、前記カードは不可逆性の湿度インジケーターとして使用できる。
2020523561.tif 000002
【特許請求の範囲】
【請求項１】
溶液の状態で潮解性材料を含有する組成物を調製すること；および、カードの活性層上のスポット内に前記組成物を施与すること；
を含む、環境中における湿度を検出する方法であって、
前記組成物が施与された後の当該組成物の乾燥が、前記潮解性材料の析出をもたらし、その結果、引き続き所定の湿度へ曝露されると、前記潮解性材料が潮解し、活性層上で移動する前記方法。
【請求項２】
溶液の状態で潮解性材料を含有する組成物の調製が、当該組成物に改質剤を添加することを含む、請求項１に記載の方法。
【請求項３】
前記の潮解性材料が前記活性層上を移動するにつれて、検出できるスポットの外側での変化が生じる、請求項１に記載の方法。
【請求項４】
溶液の状態で潮解性材料を含有する組成物の調製が、当該組成物に染料を添加することを含み、その結果、スポットの外側での変化が染料によってもたらされる色変化である、請求項３に記載の方法。
【請求項５】
活性層を含む基材；潮解性材料の析出物を含む前記基材上のスポット；
を含む、湿度インジケーターカードであって、
前記スポットは境界を形成する視覚的マーキングによって画定され、そして、所定のレベルを超える相対湿度へのカードの曝露が、前記析出物を潮解させ、観察可能な様式で前記境界を超えて移動させる、前記湿度インジケーターカード。
【発明の詳細な説明】
【技術分野】
【０００１】
関連出願への相互参照
本願は、２０１７年６月９日に出願された米国仮特許出願第６２／５１７，２２９号の優先権を主張するものであり、前記仮出願はその全体が参照により本明細書に組み込まれる。
【０００２】
今回の実施態様は、溶液の状態で潮解性材料を含有する組成物を提供することによる、周囲湿度の有害な影響からの商品の保護に関する。前記組成物は、カードまたは他の基材上に施与されて、湿度が容器、倉庫内部の、またはそうでなければそのような商品を取り囲む環境における所定の閾値を超えたときを検出する湿度インジケーターとして利用できる。潮解性材料の溶液は、カードの所定の領域に添加され、相対湿度として表される周囲湿度に感受性であるため、十分な期間にわたってある閾値湿度が達成されるかまたはそれが超えられた場合に、検出可能な変化が生じる。そのような変化は、人間の視覚に知覚可能であるか、または機械的な光学式読取装置によって感知することができる。
【背景技術】
【０００３】
多くの商品は、コンテナ中で輸送または保管される。ある期間にわたると、周囲環境中に水蒸気（すなわち、湿気）として存在する水分により、当該物品は腐食、劣化または他の損傷を受けやすくする。半導体はそのような一例を提供するが、なぜなら半導体はそれらの湿度感度レベル（「ＭＳＬ」）が異なるためである。一部の半導体では、たった１０％の相対湿度（「ＲＨ」）に十分な期間曝露されると、プリント回路基板上にはんだ付けされる前に、ＲＨへの曝露の影響を軽減するために再ベーキングが必要となる。他の半導体はより高いＭＳＬを有し、そのため、それらは、激しく損傷される前により高いＲＨ閾値に耐えることができ、あるいはさもなければ再ベーキングのような軽減ステップを受けなければならない。
【０００４】
プリント回路基板、半導体、および他の電子部品だけが、損傷を受けやすい物品ではない。食品、医薬品、工業製品および実験室試験キットは、いくつか例を挙げると、それらが周囲湿度に曝露される湿度制御されたもしくは制御されていない環境のいずれかにおいて、商業的輸送または長期保管の一部として、容器に封入されて多くの時間を費やす種類の物品の中の１つである。さらに、湿気は多くの場合に、そのような物品を損傷し得る微細な塵または他の粒子を運ぶ。したがって、そのような物品を損傷する可能性のある湿度を検出したり、制御するために、数多くのアプローチが用いられてきた。
【０００５】
そのようなアプローチには、物品と同じ環境に置かれた湿度インジケーターの使用が含まれてきた。湿度インジケーターは、物品を取り囲む環境が所定の湿度レベルに達したことを人間または機械によって感知することができる観察可能なサインを提供する。一部の使用では、可逆性の湿度インジケーターが使用されている。しかしながら、可逆性湿度インジケーターに関する問題が、そのような物品が容器内にある期間の間に、周囲湿度は高湿度と低湿度との間で変動し得るという点で言及されてきた。従って、可逆性湿度インジケーターでは、たとえそのような状態のサインが湿度が低下した時に消失した場合であっても、断続的な高湿度が物品を損傷してしまうかもしれない。これは、カード（および容器の内容物）が特定の閾値を超えるＲＨ条件に曝露されたかどうかをユーザが知ることを妨げ得る。したがって、可逆的な種類の代わりに、多数の不可逆性の湿度インジケーターが使用されてきた。
【０００６】
可逆性であろうと不可逆性であろうと、一部の従来の湿度インジケーターは、潮解、すなわち、固体の結晶質材料が空気から周囲の水分を吸収し、溶解する傾向に基づいて作用してきた。潮解性材料は、粒子状であり得る。一般に、そのような材料は、特定のＲＨで溶解し、それは温度または他の環境要因に応じてわずかに変化し得る。塩化リチウム、塩化マグネシウム、塩化カルシウム、臭化ナトリウム、酢酸カリウム、硝酸マグネシウム、糖、硝酸ニッケル、硝酸鉄（ＩＩＩ）、臭化コバルト、硝酸アンモニウム、二クロム酸ナトリウム、塩化鉄（ＩＩ）、二クロム酸アンモニウム、塩化ニッケル、塩化ストロンチウム、塩化銅（Ｉ）、硝酸銅（Ｉ）、炭酸カリウムおよび炭酸ナトリウムは潮解性材料（無機および有機の両方）の非限定的な例であり、これらは湿度インジケーターとの使用に関して確認されてきた。
【０００７】
従来の湿度インジケーターの一部では、潮解性材料が飽和点まで溶解し、飽和点は空気水分の蒸気圧が潮解性材料を含有する溶液の水蒸気圧と平衡する点である。この傾向は、潮解が生じる相対湿度の材料ごとの変動をもたらす。
【０００８】
一部の従来の湿度インジケーターは、潮解性材料を、ハウジング、多孔質マトリックスまたは容器内もしくは容器上に配置するための他のキャリア内に配置してきた。一部の従来の湿度インジケーターは、潮解性材料が閾値量の湿度をいつ吸収したかについての視覚的表示を提供してきた。潮解性材料が溶解し、固体から液体に変化するにつれて、液体がハウジングまたはキャリア内を移動して、色の変化、光学特性の変化または感知可能な他の効果を引き起こすようにアレンジされているものもある。一部の従来の湿度インジケーターでは、そのような視覚的効果を提供するために、ハウジング内の１つの位置からウィックに沿って別の位置に液体が運ばれ得る。
【発明の概要】
【発明が解決しようとする課題】
【０００９】
一部の従来の湿度インジケーターは、移動溶液に暴露されたときに色を変化させる発色性材料を使用し、湿度の存在を検出するために観察可能な変化を提供してきた。しかし、そのようなアプローチは、２つの異なる送達機構、すなわち、潮解性材料のための機構と、潮解性材料が移動する近傍の発色性材料のための機構とを必要とする。湿度インジケーターの技術水準を検討すると、このような複雑さおよび他の複雑さが明らかとなる。このような理由のために、よりフレキシブルで、高感度で、信頼性のあるアプローチが必要とされている。
【課題を解決するための手段】
【００１０】
実施態様の概要
本明細書で提供される実施態様は、不可逆性湿度インジケーターカードのための潮解性物質含有領域を有する基材を製造および使用するための方法に向けられた実施態様を含む。本明細書で提供される実施態様はまた、そのようなカードと利用される調製物、ならびに不可逆性の湿度インジケーターとして使用できるカード上に溶液の状態で潮解性材料を含む組成物を施与するアプローチに向けられている。いくつかの実施態様では、追加的な改質剤を含むかまたは含まない、染料と共に溶液の状態で潮解性材料を含有する組成物が製造される。前記組成物は、湿度表示カードの特定の領域に施与され、次いで、乾燥ステップを受ける。施与は、多くの利用可能な方法のうちのいずれかによって行われ、これらには、計量された液体を施与するヘッドを備えた機械に沿って紙カードストックを走らせ、それぞれ「スポット」と呼ばれる１つまたは複数の所定の領域に潮解性材料をアプライすることが含まれるが、必ずしもこれに限定されない。必要に応じて、多数のカードを活性層の連続ロールまたはシート上で処理し、次いで、当技術分野で公知の従来の切断技術を使用して個々のカードに分割することができる。
【００１１】
乾燥すると、潮解性材料が析出し、溶液から出てくる。この条件において、その後の所定の湿度への暴露は、一部の実施態様では前記溶液が染料を含有するので、スポットの外側への色の移動が生じる潮解を引き起こす。このようにして、色の移動を知覚または感知して、十分な期間にわたって所定の閾値を超えて維持された湿度に到達したことを示すことができる。
【００１２】
本実施態様による湿度インジケーターカードは、単一層を有していてもよい。一部の実施態様において、この単一層は、活性層としての役割を果たす吸収特性を有する紙基材を含む。潮解性材料は、活性層上のスポット内に施与される。必要に応じて、スポットの境界を示すために、明瞭なマーキングがカード上で使用される。カードを取り囲む相対湿度が所定の閾値未満に留まるならば、潮解性材料はこのスポット内に留まるべきである。所望により、染料を、潮解性材料を含有する調製物に組み込む。染料は、潮解性材料がスポットの外側に移動するときにいつでも検出を可能にする特定の色の特徴を提供する。前記の移動は、乾燥後に析出形態にある潮解性材料が周囲湿度を吸収して溶解することによって、材料がスポットの境界を越えて流出するときに起こる。
【００１３】
適切なカードを本明細書の記載に従って製造すると、潮解性材料を含有する溶液または組成物がカード上に施与される。一部の実施態様では、前記溶液は、境界が明確にマークされたカードの表面上のスポットに閉じ込められる。一部の実施態様では、前記溶液は水性であり、金属ハロゲン化物、追加の水、染料、および少なくとも１種の改質剤を含み、後者は潮解性材料が環境中の水分を吸収する傾向に影響を及ぼす。
【００１４】
任意選択的に、本実施態様によるカードは、各々がそれ自体の境界を有し、他のスポットから分離されている複数のスポットを有する。同様に、各々の個別のスポット内に施与される潮解性材料の溶液は異なる。このようにして、単一のカードを使用して、２つ以上の特定のＲＨへの曝露を検出することができる。したがって、１種以上の改質剤を使用することによって、同一の潮解性材料（例えば、本明細書中で「ＭＸ」と示される金属ハロゲン化物）が、あるスペクトルに沿ってＲＨを検出するためのいくつかの溶液の基礎を形成することができる。前記スペクトルは、観測可能な潮解をもたらす比較的低いＲＨ（例えば、１０％）から、はるかに高い閾値、例えば９５％までの範囲であり得る。一部の実施態様では、潮解性材料の溶液は、視覚的に検出可能な潮解が生じるより先に、特定のＲＨレベルで十分な期間（例えば、２４時間）の暴露を必要とする。概して、特定の種類の物品が損傷を受けるのにかかるであろう特定のＲＨにおける時間量を考慮することができ、そして本明細書における教示により、ゆっくり時間をかけて維持されたＲＨの同じ条件下で潮解する（溶液から戻って出てくる）ように適合されている調製物を開発することができる。
【００１５】
また、カードの活性層上に潮解性物質含有溶液を施与するために、様々な様式を選択することができる。計量液体施与ヘッドを有する機械の使用については上述されている。他の非限定的な例には、公知の噴霧方法、インクの代わりに潮解性材料の溶液を施与するように適合させた印刷方法（オフセット印刷、フレキソ印刷、スクリーン印刷、フラッドコーティングおよびインクジェットを含む）、ならびに基材に液体溶液をアプライするためのダウバーの使用が含まれる。そのような技術は印刷の分野で知られており、潮解性材料を含有する溶液の施与に簡単な方法で適合させることができる。
【００１６】
どのような施与方法が選択されても、潮解性材料は、カードの活性層のスポット内に存在する。カードが乾燥するにつれて、溶媒が蒸発し、潮解性材料が析出し、カード上に残る。任意選択的に、活性層上の潮解性材料の特性を変えるために、様々な改質剤を調製物に組み込むことができる。次いで、使用中に前記材料がカード上で潮解すると、潮解性材料がカード上にマークされた境界を越えて移動するので、表示が提供される。溶液が無色である場合、当該溶液はこの移動の効果が目に見えるように、またはそれが機械によって光学的に読み取られるように、染料を組み込むことができる。
【００１７】
潮解性材料を含有する活性層を有するカードを形成させた後、カードは、商品が相対湿度によって影響を受けるかもしれない容器または他の環境に配置することができる。潮解が施与および乾燥後に析出した結晶の溶液に戻るであろう湿度条件の範囲によって、閾値を選択的に決定することができる。さらなる利点は、本明細書に記載の説明から明らかとなろう。
【図面の簡単な説明】
【００１８】
【図１】図１は、湿度インジケーターカードを示す。
【００１９】
詳細な説明
現在の実施態様は、不可逆性湿度インジケーターカードに向けられる。一般に、溶液に加工できる潮解性材料を含む様々な出発材料が、前記調製物の製造に使用される。前記材料の量および重量パーセントは、個別の最終用途に所望されるように、調製物ごとに変化する。潮解性材料は、混合物に添加する前に水に溶解することができる。化学者に知られている他の溶媒を用いて潮解性材料を溶解することができる。一部の実施態様において、種々の改質剤および希釈剤または追加的な溶媒が、以下に記載されるように調製物中に組み込まれる。
【００２０】
１つの実施態様において、前記カードは少なくとも１つの活性層を含む。一部の実施態様において、前記活性層は、最終用途にとって所望されるような任意の幾何学的形状、例えば長方形の、薄い、一般には平面的な材料である。好ましくは、前記活性層は、その表面上に語句および他のマーキングを示すためのインクを受容するために、例えば１つ以上のスポットに関してそれぞれの境界を描写するために、適している。必要に応じて、そのようなマーキングはまた、使用のための指示を含み得る。活性層に適切な材料としては、セルロース−もしくは木材パルプ含有材料、例えば紙および他の不織材料（例えば、Ｔｙｖｅｋ（登録商標）または類似のスパンボンド不織材料）が挙げられるが、これらに限定はされない。個別の用途に応じて、前記活性層が接着または貼付される裏材をさらに含む多層カードが、これらの実施態様によって企図される。前記裏材は、機能的な改善、例えば構造的な支持、保護コーティングおよびカードのための直接接触からのバリアを提供し、接着剤によって、または当技術分野で知られている積層プロセスによって、活性層をその表面に貼り付けるのに適しているべきである。前記裏材は、特定の最小厚さを有する必要はなく、非常に薄くてもよく、例えば、寸法に関して限定することを意図するものではないが、５ｍｍであってもよい。そのような裏材は、ＲＨに対して透過性であってもまたは不透過性であってもよい。透過性の場合、ＲＨはカードの両側から吸収されるだろうが、カードの両側からＲＨを吸収することは要求されない。
【００２１】
あるいは、複数の実施態様は、活性層、例えば紙から形成された活性層のみを含む湿度インジケーターカードを含む。カードの活性層は、パルプ含有材料のセルロースマトリックス内での保持によるように、材料内に潮解性物質含有溶液を保持するための吸収性を示す。概して、セルロースから形成された紙は、潮解性材料をセルロースマトリックス内に吸収できるのに十分な活性層のための適切な材料である。そのような材料の特定の、しかし非限定的な例は、ＵＵ−Ｐ−６３に従うブロッティング紙であり、連邦ロジスティクス品目名コード（ｆｅｄｅｒａｌ  ｌｏｇｉｓｔｉｃｓ  ｉｔｅｍ  ｎａｍｅ  ｃｏｄｅ）０４７８４としても参照される。これは、綿繊維と木材パルプとの混合物から作られた吸収性の多孔質スポンジ状紙である。前記活性層のための他の適切な材料としては、この場合も限定はされないが、当技術分野で知られているような吸収特性または吸着特性を有する他の織材料または不織材料が挙げられる。
【００２２】
カードの活性層上に、潮解性材料を含有する溶液が施与される。様々な施与方法が存在し、実施態様の範囲は、施与の特定のモードに基づいて限定されない。概して、潮解性材料を含む溶液は、カードの活性層上の個々のスポット内に留まるように施与される。その結果、使用中に前記材料が潮解すると、潮解性材料がスポットを画定するマーキングを越えて移動するので、表示が提供される。潮解した溶液が無色である場合、溶液中に染料を組み込むことにより、表示が視覚的になる。
【００２３】
従って、潮解性材料は溶液に加工され、引き続きカードの表面上に、より具体的にはカードの活性層上に施与される。一部の実施態様において、潮解性物質含有溶液は、活性層の表面上のスポット内にアプライされる。施与の際、潮解性材料は溶液の状態にある。施与に続いて、活性層（複数可）は乾燥され、その結果、溶液の液体（水性または揮発性有機）内容物の実質的な量が蒸発する。乾燥は、任意の数の様式、例えばオーブン内へ入れること、または乾燥機を用いた高温強制空気への直接的な暴露によって行うことができるが、これらに限定はされない。オーブンまたは強制空気の温度は、使用される液体溶媒の種類に依存し、潮解性物質含有溶液を構成する個々の液体と関連して容易に決定することができる。
【００２４】
十分に乾燥すると、潮解性材料は溶液から析出し、それが溶液として施与されたスポット中に残る。したがって、潮解性材料は、カード上に施与される個々の調製物に従って、所定の湿度で潮解することができる。例えば、金属ハロゲン化物から形成された潮解性材料は、ある最小期間の間湿度が閾値ＲＨを超えたままである場合には容器内の十分な湿度の存在下で再び溶解する結晶構造を有する。背景技術の欄に列挙したものを含む他の種類の潮解性材料を、これらの実施態様の範囲内で使用することができる。
【００２５】
上記溶液がカード上に施与され、乾燥された後、カードは、閾値を超える相対湿度の発生を検出する容器内に配置されることによって、使用される準備が整う。例えば、５０％未満の相対湿度によっては影響を受けない一部の商品は、相対湿度が所定の期間にわたって８０％超で維持されると、破壊され得る。逆に、一部の商品は非常に感受性であり、従って、３０％、２０％またはさらには１０％の相対湿度への曝露で、大きな損傷および損失を引き起こすのに十分であるか、または半導体を再ベーキングしなければならない等の軽減を必要とするのに十分である。従って、潮解性材料を含む一連の溶液を調製することにより、容器または倉庫において生じ得る広範囲の湿度条件にわたって表示を提供することができる。
【００２６】
本明細書に含まれる教示を考慮すると、以下の例示的な組成物が使用に適している。このような組成物を、潮解性材料が溶液の状態にある間にカード上に施与し、引き続き乾燥することによって潮解性材料を当該溶液から引き出し、それから当該カードを容器中で使用することができる。例の調製物は、限定ではなく、むしろ、現在のアプローチの柔軟性をさらに増加させるために改質剤をどのように使用できるかを説明することを意図するものである。
【００２７】
調製物例（Ａ１−Ａ３）
一部の実施態様では、水または選択され得る他の公知の溶媒に加えて、追加的な改質剤（例えば限定はされないが、親水性改質剤または疎水性官能基を有する改質剤）が溶液と混合される。そのような改質剤は、潮解性材料の挙動を変化させる。例えば、親水性改質剤は、乾燥後に析出形態にある潮解性材料の周りに周囲水分を引き付け、保持する傾向を増加させる。他方、疎水性官能基を有する改質剤は、水分をはじく傾向がより強い。本実施態様によれば、グリセリンを使用することができ、グリセリンは本技術分野で知られている親水性改質剤として多くの適切な例の１つとして役立つ。本実施態様によれば、オクチルフェノキシポリエトキシエタノールを使用することができ、これは、本技術分野で知られている疎水性改質剤として多くの適切な例の１つとして役立つ。
【００２８】
以下の例の調製物は、限定を意味するものではなく、むしろ、本実施態様を実施することから利用可能な柔軟なアプローチを例示するものである。本明細書における当該アプローチによって、特定の潮解性材料および溶媒が、ＲＨの範囲に沿って潮解する複数の異なる溶液をもたらすことができる。このようにして、異なる溶液が本明細書に開示されるようにカード上に施与されると、単一のカードを使用して、容器におけるＲＨをより正確に決定することができる。
【００２９】
【表１】
2020523561.tif 000003
【００３０】
【表２】
2020523561.tif 000004
【００３１】
【表３】
2020523561.tif 000005
非限定的な例として、図１に示される湿度インジケーターカードは、６０％超のＲＨには到達したがしかし、７０％超の相対湿度には到達しなかったか、あるいは７０％超の相対湿度は、潮解性材料を溶解させ、スポットの境界を超えて流れ出させるのに十分な長さは維持されなかったことを示す。
【００３２】
異なる改質剤を有するかまたは改質剤を有さない溶液（複数）を使用することにより、単一のカードが容器内のＲＨに対して種々の範囲の感度を呈することができることが理解されるであろう。上記の例を用いて説明すると、各々は少なくとも水溶媒、ＭＸ、または親水性であり水に可溶性である塩、および染料を含有する。上記の非限定的な例は、Ａ１（親水性改質剤）、Ａ２（疎水性改質剤）、およびＡ３（改質剤なし）として同定される。上記３つが単一のカード上の別個のスポットに配置されると、そのカードを使用して、生じ得るＲＨの範囲に沿って容器内のＲＨ状態を検出することができる。例えば、親水性化合物は空気から水分を吸収する傾向がより大きいので、Ａ１（親水性改質剤を含む）は、他の２つよりも低いＲＨで潮解するであろう。
【００３３】
すなわち、周囲環境から水分を引き込む親水性改質剤の傾向は、この改質剤を有する溶液が、この改質剤を欠くことを除いて同一である溶液よりも、潮解を生じさせるのに必要なＲＨが低いことを意味する。比較すると、親水性改質剤の不在、すなわちＡ３（改質剤なし）は、Ａ１よりも高いＲＨで潮解するであろう。しかしながら、添加された疎水性または両親媒性改質剤を有する組成物（例えばＡ２が挙げられるが、これに限定はされない）は、非極性官能基のために、さらに高いＲＨで潮解する傾向があるであろう。すなわち、疎水性官能基を有する改質剤を有することは、親水性改質剤を有するかまたは改質剤を有さない溶液と比較して、周囲環境からの水分をはじく傾向がある。従って、疎水性改質剤を有する溶液は、この改質剤を欠くことを除いて同一である溶液よりも、潮解を生じさせるのに必要なＲＨが高いことを意味する。
【００３４】
カード上の個々のスポットにおけるさらなる潮解性は、改質剤の選択によってだけでなく、使用される改質剤の量によっても制御することができる。従って、例Ａ１〜Ａ３は全て、例示のみを目的として特定のパーセントを列挙しているが、本実施態様の範囲は可能性のある重量パーセントの範囲を包含するであろう。従って、親水性改質剤を３５％に減少させることによって例Ａ１を変化させると、Ａ１と比較して潮解が生じるＲＨを低下させるだろう。同様に、親水性改質剤を５５％に増加させると、Ａ１と比較して潮解が生じるＲＨを上昇させるだろう。さらに、疎水性改質剤を３５％に減少させることによって例Ａ２を変化させると、Ａ２と比較して潮解が生じるＲＨを増加させるだろう。同様に、疎水性改質剤を５５％に増加させることによって例Ａ２を変化させると、Ａ２と比較して潮解が生じるＲＨを低下させるだろう。これに関して、改質剤含有量は、本実施態様の範囲から逸脱しなければ、この段落に記載または示唆される範囲の外で選択することができる。
【００３５】
従って、本明細書に提供される教示に基づいて、本明細書の教示に基づく迅速な施与のために、溶液の状態で潮解性材料を有する広範な組成物を形成させることができる。一部の実施態様において、金属ハロゲン化物の水溶液が、追加的な水、染料と混合され、この染料は視覚的検出を容易にする。検出の代替形態、例えば光学式読取装置または蛍光色素はおそらくより高価であるが、本明細書中に記載される同じ種類の操作原理の範囲内であろう。
【００３６】
概して、これらの組成物のための出発材料は任意の順序で、そして適切な温度および潮解性材料を溶液の状態で配置するのに十分な撹拌レベルで混合され、当該組成物は潮解性材料がまだ溶液の状態である間にカードにアプライされることが期待される。本明細書には、いくつかの例示的な（すなわち非限定的な）潮解性物質含有溶液および調製物が記載される。これらは、潮解性材料を溶液に加工するための広範囲にわたる実施態様を例証し、当該溶液は引き続き活性層上に施与されて湿度インジケーターカードを形成する。調製物をアプライし、これらの潮解性材料を含有するカードを製造するための種々の様式もまた記載されている。
【００３７】
本明細書に記載される実施態様が、それらの適用において、記載される教示および説明の詳細に限定されず、または添付の図面において示されるように限定されないことは理解されるであろう。むしろ、本願において説明され特許請求される本実施態様および代替態様が、様々な様式で実行または実施できることは理解されるだろう。また、本明細書で使用される単語および語句は、説明の目的のためのものであって、限定とみなされるべきではないことが理解されるべきである。「含む（ｉｎｃｌｕｄｉｎｇ）」、「〜のような（ｓｕｃｈ  ａｓ）」、「含む（ｃｏｍｐｒｉｓｉｎｇ）」、「例えば（ｅ．ｇ．，）」、「含む（ｃｏｎｔａｉｎｉｎｇ）」または「有する（ｈａｖｉｎｇ）」などの単語および語句ならびにそれらの単語の変形は、後に列挙される事項、ならびにそれらの均等物、ならびに追加的な事項を包含することを意味する。
【００３８】
従って、実施態様および代替形態の前述の説明は、本明細書で開示されたものの範囲に対する限定として役立つのではなく、例示することを意図している。本明細書における説明は、実施態様の理解を開示された厳密な形態に限定することを意味しない。当業者であれば、上記の教示および説明に照らして、これらの実施態様の改変および変形が合理的に可能であることを理解するであろう。
【図１】
2020523561.tif 000006
【国際調査報告】
2020523561.tif 000007
2020523561.tif 000008